【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
各通信局が所定のフレーム周期内でネットワークに関する情報を記述したビーコンを送信し合うことによってネットワークを構築する自律分散型の無線通信システムであって、
各通信局は自局のビーコン送信時刻の前後あるいは自局の前にビーコンを送信する通信局のビーコン送信時刻の前後に所定の受信期間を設けており、
通信局は、情報送信時にはデータ送信先となる通信局のビーコン送信時刻の前後あるいは自局のビーコン送信時刻の後において情報送信を行なう、
ことを特徴とする無線通信システム。
【請求項２】
ある通信局が他のすべての通信局に向けて情報の送信を行なう場合、各通信局は前記フレーム周期内で自局の次にビーコンを送信する次通信局宛てに当該次通信局のビーコン送信時刻の前後あるいは自局のビーコン送信時刻の前後に設けられた受信期間を利用して情報を順次送信する情報伝送方式を実行する、
ことを特徴とする請求項１に記載の無線通信システム。
【請求項３】
前記の情報伝送方式により、情報送信元となる通信局から他のすべての通信局に向けて情報送信を行なうことを予告するデータを１フレーム内で順次送信した後、
次のフレーム周期において、前記情報送信元の通信局は自局のビーコン送信に引き続き情報を自局の次にビーコンを送信する次通信局宛てに送信するとともに、他の通信局は該情報送信元からのビーコン受信タイミングにおいてビーコン並びに送信情報を受信する、
ことを特徴とする請求項２に記載の無線通信システム。
【請求項４】
各通信局が所定のフレーム周期内でネットワークに関する情報を記述したビーコンを送信し合うことによってネットワークを構築する自律分散型の無線通信システムであって、
各通信局は自局のビーコン送信時刻により示される優先的に送信権を獲得できる優先送信期間を設けており、
通信局は、情報送信時には自局の優先送信期間において情報送信を行なう、
ことを特徴とする無線通信システム。
【請求項５】
所定のフレーム周期内で各通信局が受信期間を順次設けている無線通信システムであって、
ある通信局が他のすべての通信局に向けて情報の送信を行なう場合、各通信局は前記フレーム周期内で自局の次に受信期間を設定する次通信局宛てに情報を順次送信する、
ことを特徴とする無線通信システム。
【請求項６】
各通信局が所定の時間間隔でネットワークに関する情報を記述したビーコンを送信し合うことによって構築される自律分散型の通信環境下で動作する無線通信装置であって、
チャネル上で無線データを送受信する通信手段と、
自局に関する情報を記載したビーコン信号を生成するビーコン信号生成手段と、
前記通信手段により周辺局から受信したビーコン信号を解析するビーコン信号解析手段と、
前記チャネル上でのデータ伝送動作を制御する通信制御手段を備え、
前記通信制御手段は、周辺局のビーコン送信時刻を把握し、自局のビーコン送信時刻の前後あるいは自局の前にビーコンを送信する通信局のビーコン送信時刻の前後において受信処理を行ない、且つ、情報送信時にはデータ送信先となる通信局のビーコン送信時刻の前後あるいは自局のビーコン送信時刻の後において情報送信を行なう、
ことを特徴とする無線通信装置。
【請求項７】
すべての通信局に向けて情報の送信を行なう場合、前記通信制御手段は、前記フレーム周期内で自局の次にビーコンを送信する次通信局宛てに当該次通信局のビーコン送信時刻の前後あるいは自局のビーコン送信時刻の前後に設けられた受信期間を利用して情報を順次送信する、
ことを特徴とする請求項６に記載の無線通信装置。
【請求項８】
前記通信制御手段は、他のすべての通信局に向けて情報送信を行なうことを予告するデータを送信した後、次のフレーム周期において自局のビーコン送信に引き続き情報を送信する、
ことを特徴とする請求項７に記載の無線通信装置。
【請求項９】
前記通信制御手段は、他の通信局からの前記予告のデータを受信したことに応答して、前記次のフレーム周期において前記他の通信局からのビーコン受信タイミングにおいてビーコン並びに送信情報を受信する、
ことを特徴とする請求項８に記載の無線通信装置。
【請求項１０】
前記通信制御手段は、送信情報を誤りなく受信すると、前記次のフレーム周期において受信確認応答を自局のビーコンの送信に引き続き送信する、
ことを特徴とする請求項９に記載の無線通信装置。
【請求項１１】
前記通信制御手段は、前記次のフレーム周期において、前記他の通信局からのビーコン受信に引き続いて受信確認応答を受信する、
ことを特徴とする請求項８に記載の無線通信装置。
【請求項１２】
前記通信制御手段は、前記他の通信局からの受信確認応答を認識できない場合には、当該通信局に宛てて、同一情報に関する所定の再送手順を起動する、
ことを特徴とする請求項１１に記載の無線通信装置。
【請求項１３】
前記通信制御手段は、自局が送信した情報を受信したことに応答して、当該情報についての送信処理が完了したことを認識する、
ことを特徴とする請求項７に記載の無線通信装置。
【請求項１４】
前記通信制御手段は、自局が送信したい情報がある場合、前記フレーム周期内で自局の前にビーコンを送信する前通信局から受信した情報に当該送信したい情報を付加し、自局の次にビーコンを送信する次通信局宛てに送信する、
ことを特徴とする請求項７に記載の無線通信装置。
【請求項１５】
前記通信制御手段は、自局の次にビーコンを送信する次通信局に対する情報送信に失敗した場合、前記フレーム周期内における当該次通信局の受信期間を利用して情報再送を試みる、
ことを特徴とする請求項７に記載の無線通信装置。
【請求項１６】
前記通信制御手段は、他の通信局宛ての情報送信に失敗した場合、いずれの通信局宛ての送信に失敗したかを送信情報に付加した上で、前記フレーム周期内で当該他の通信局の次にビーコンを送信する通信局への情報送信を試みる、
ことを特徴とする請求項１５に記載の無線通信装置。
【請求項１７】
前記通信制御手段は、自局が送信した情報を受信したときに、いずれの通信局宛ての送信に失敗したかが付加されている場合には、当該通信局宛ての再送手順を起動する、
ことを特徴とする請求項１６に記載の無線通信装置。
【請求項１８】
前記通信制御手段は、自局が送信した情報を受信したときに、いずれの通信局宛ての送信に失敗したかが付加されている場合には、当該情報を自局の次にビーコンを送信する次通信局宛てに再度送信する、
ことを特徴とする請求項１６に記載の無線通信装置。
【請求項１９】
前記通信制御手段は、受信した情報量と自局が送信したい情報量と最近自局が送信した情報量のうち少なくとも１つを参照して、フレーム周期内における自局からの情報送信の有無を決定する、
ことを特徴とする請求項１４に記載の無線通信装置。
【請求項２０】
前記通信制御手段は、前記所定のフレーム周期内を、必要とされているレイテンシに応じた個数のビーコンで定期的に補間する、
ことを特徴とする請求項６に記載の無線通信装置。
【請求項２１】
各通信局が所定の時間間隔でネットワークに関する情報を記述したビーコンを送信し合うことによって構築される自律分散型の通信環境下で動作する無線通信装置であって、
チャネル上で無線データを送受信する通信手段と、
自局に関する情報を記載したビーコン信号を生成するビーコン信号生成手段と、
前記通信手段により周辺局から受信したビーコン信号を解析するビーコン信号解析手段と、
前記チャネル上でのデータ伝送動作を制御する通信制御手段を備え、
前記通信制御手段は、周辺局のビーコン送信時刻を把握し、自局のビーコン送信時刻により示される優先的に送信権を獲得できる優先送信期間を設け、データ送信時には自局の優先送信期間においてデータ送信を行なう、
ことを特徴とする無線通信装置。
【請求項２２】
前記通信制御手段は、自局の前にビーコンを送信する前通信局のビーコン送信時刻に引き続く優先送信期間において受信動作を行なう、
ことを特徴とする請求項２１に記載の無線通信装置。
【請求項２３】
前記通信制御手段は、データ受信時に、該情報送信元通信局の優先送信期間にて受信動作を行なう、
ことを特徴とする請求項２１に記載の無線通信装置。
【請求項２４】
前記通信制御手段は、該情報送信元通信局からの送信情報を誤りなく受信すると、該情報を受信できたことを示す受信確認応答を自局の優先送信期間にて送信する、
ことを特徴とする請求項２３に記載の無線通信装置。
【請求項２５】
前記通信制御手段は、１以上の通信局宛てにデータ送信した後に受信先となる各通信局の優先送信期間毎に受信動作を行なって、各通信局からの受信確認応答の受信を試みる、
ことを特徴とする請求項２３に記載の無線通信装置。
【請求項２６】
所定のフレーム周期内で各通信局が受信期間を順次設けている通信環境下で動作する無線通信装置であって、
周辺局の受信期間を把握し、前記フレーム周期内で自局の次に受信期間を設定する次通信局宛てに情報を順次送信する、
ことを特徴とする無線通信装置。
【請求項２７】
各通信局が所定の時間間隔でネットワークに関する情報を記述したビーコンを送信し合うことによって構築される自律分散型の通信環境下で無線通信動作を行なうための無線通信方法であって、
所定のビーコン送信タイミングで自局のビーコンを送信するビーコン送信ステップと、
周辺局のビーコン送信時刻を把握するビーコン送信時刻管理ステップと、
自局のビーコン送信時刻の前後あるいは自局の前にビーコンを送信する通信局のビーコン送信時刻の前後において受信処理を行なう受信処理ステップと、
データ送信先となる通信局のビーコン送信時刻の前後あるいは自局のビーコン送信時刻の後においてにおいて情報送信を行なう送信処理ステップと、
を具備することを特徴とする無線通信方法。
【請求項２８】
各通信局が所定の時間間隔でネットワークに関する情報を記述したビーコンを送信し合うことによって構築される自律分散型の通信環境下で無線通信動作を行なうための無線通信方法であって、
所定のビーコン送信タイミングで自局のビーコンを送信するビーコン送信ステップと、
周辺局のビーコン送信時刻を把握するビーコン送信時刻管理ステップと、
自局のビーコン送信時刻により示される優先的に送信権を獲得できる優先送信期間を設け、自局の優先送信期間においてデータ送信を行なう送信処理ステップと、
自局の前にビーコンを送信する前通信局のビーコン送信時刻に引き続く優先送信期間において受信動作を行なう受信処理ステップと、
を具備することを特徴とする無線通信方法。
【請求項２９】
所定のフレーム周期内で各通信局が受信期間を順次設けている通信環境下で無線通信動作を行なうための無線通信方法であって、
周辺局の受信期間を把握し、前記フレーム周期内で自局の次に受信期間を設定する次通信局宛てに情報を順次送信する、
ことを特徴とする無線通信方法。
【請求項３０】
各通信局が所定の時間間隔でネットワークに関する情報を記述したビーコンを送信し合うことによって構築される自律分散型の通信環境下で無線通信動作を行なうための処理をコンピュータ上で実行するようにコンピュータ可読形式で記述されたコンピュータ・プログラムであって、前記コンピュータに対し、
所定のビーコン送信タイミングで自局のビーコンを送信するビーコン送信手順と、
周辺局のビーコン送信時刻を把握するビーコン送信時刻管理手順と、
自局のビーコン送信時刻の前後あるいは自局の前にビーコンを送信する通信局のビーコン送信時刻の前後において受信処理を行なう受信処理手順と、
データ送信先となる通信局のビーコン送信時刻の前後あるいは自局のビーコン送信時刻の後においてにおいて情報送信を行なう送信処理手順と、
を実行させることを特徴とするコンピュータ・プログラム。
【請求項３１】
各通信局が所定の時間間隔でネットワークに関する情報を記述したビーコンを送信し合うことによって構築される自律分散型の通信環境下で無線通信動作を行なうための処理をコンピュータ上で実行するようにコンピュータ可読形式で記述されたコンピュータ・プログラムであって、前記コンピュータに対し、
所定のビーコン送信タイミングで自局のビーコンを送信するビーコン送信手順と、
周辺局のビーコン送信時刻を把握するビーコン送信時刻管理手順と、
自局のビーコン送信時刻により示される優先的に送信権を獲得できる優先送信期間を設け、自局の優先送信期間においてデータ送信を行なう送信処理手順と、
自局の前にビーコンを送信する前通信局のビーコン送信時刻に引き続く優先送信期間において受信動作を行なう受信処理手順と、
を実行させることを特徴とするコンピュータ・プログラム。
【請求項３２】
所定のフレーム周期内で各通信局が受信期間を順次設けている通信環境下で無線通信動作を行なうための処理をコンピュータ上で実行するようにコンピュータ可読形式で記述されたコンピュータ・プログラムであって、前記コンピュータに対し、
周辺局の受信期間を把握し、前記フレーム周期内で自局の次に受信期間を設定する次通信局宛てに情報を順次送信する手順を実行させる、
ことを特徴とするコンピュータ・プログラム。